(57)【要約】【課題】  テレビ放送の方式等を大きく変更することなしに、ＣＭ映像等の番組情報を視聴した記録を行う録画・再生装置及び録画・再生システムを提供する。【解決手段】  録画・再生システム１を、少なくとも映像信号を含む番組信号３１及びこの番組信号３１を識別するために付加された制御信号３２からなる番組情報３０を受信して再生する再生部１５、記録用ＨＤＤ１７、再生部１５で番組情報３０を再生するときに、制御信号３２が検出される毎に、番組情報３０が再生された再生時刻を再生部１５から取得して制御信号３２とともに再生情報４０として記録用ＨＤＤ１７に記録する視聴記録部１６、及び、記録用ＨＤＤ１７から再生情報４０を取り出す記録送信部１８からなる録画・再生装置１と、記録送信部１８により取り出された再生情報４０を管理する管理サーバ６０と、これらを接続するネットワーク５０とから構成する。【選択図】  図２
2006054794.tif 000002
【特許請求の範囲】
【請求項１】
少なくとも映像信号を含む番組信号、及び、前記番組信号を識別するための情報であって前記番組信号に対して付加される制御信号からなる番組情報を再生する再生手段と、
記録用記憶手段と、
前記再生手段により前記番組情報を再生するときに、前記制御信号が検出される毎に、前記番組情報が再生された再生時刻を前記再生手段から取得して前記制御信号とともに再生情報として前記記録用記憶手段に記憶する視聴記録手段とから構成されることを特徴とする録画・再生装置。
【請求項２】
録画用記憶手段と、
前記番組情報を前記録画用記憶手段に記憶する録画手段とを有し、
前記再生手段が前記録画用記憶手段に記憶された前記番組情報を再生するように構成されたことを特徴とする請求項１に記載の録画・再生装置。
【請求項３】
前記番組情報が、前記番組信号に対して所定の間隔をおいて複数の前記制御信号が付加されて構成されていることを特徴とする請求項１または２に記載の録画・再生装置。
【請求項４】
標準時刻を提供する時刻提供サーバと、
前記時刻提供サーバから提供される前記標準時刻に基づいて前記再生部に設定された時刻を監視する時刻監視手段を有する請求項１〜３のいずれかに記載の録画・再生装置と、
前記時刻提供サーバと前記録画・再生装置とが接続されて情報の送受信を行うネットワークとから構成されることを特徴とする録画・再生システム。
【請求項５】
前記ネットワークに接続され、前記再生時刻を認証するタイムスタンプトークンを発行する時刻認証サーバを有し、
前記録画・再生装置が、前記時刻認証サーバから前記再生時刻に対する前記タイムスタンプトークンを取得する時刻認証手段を有し、
前記視聴記録手段が、前記時刻認証手段により前記再生時刻の前記タイムスタンプトークンを取得して、前記制御信号、前記再生時刻及び前記タイムスタンプトークンを前記再生情報として前記記録用記憶手段に記憶するように構成されたことを特徴とする請求項４に記載の録画・再生システム。
【請求項６】
前記録画・再生装置が、前記記録用記憶手段に記憶された前記再生情報を取り出す再生情報取得手段を有し、
前記ネットワークに接続され、前記再生情報取得手段により前記記録用記憶手段に記憶された前記再生情報を取得して管理する管理サーバを有することを特徴とする請求項４または５に記載の録画・再生システム。
【発明の詳細な説明】
【技術分野】
【０００１】
本発明は、テレビ放送等による番組情報を再生し、その時刻を記憶する録画・再生装置及びこの録画・再生装置を用いた録画・再生システムに関する。
【背景技術】
【０００２】
情報処理能力の向上、映像のデジタル化技術の進歩、及び、記憶媒体の高密度化・高容量化に伴いテレビ放送等による番組情報をデジタル化して記憶媒体（例えば、ハードディスクやＤＶＤ）に録画する録画・再生装置が普及しはじめている（例えば特許文献１参照）。ハードディスクを記憶媒体にした録画・再生装置の場合、従来のビデオテープを用いたものと異なり、記憶媒体を交換することなしに長時間の映像を録画することができる。そのため、テレビ放送がされているときに番組を視聴するよりも、録画予約機能により録画しておいて、時間のあるときにまとめて視聴するという視聴者が増えてきている。
【０００３】
【特許文献１】特開２００４−２３５８８号公報
【発明の開示】
【発明が解決しようとする課題】
【０００４】
このように、録画・再生装置に録画された番組を視聴する場合、番組中に挿入されているコマーシャル映像（以下、「ＣＭ映像」と呼ぶ）を、録画装置が備える早送り再生機能等で早送りして（飛ばして）視聴しない場合が多くなる。しかしながら、多くのテレビ番組はＣＭを放送し、それを番組の視聴者が視聴することを前提にした収入で製作されている。すなわち、視聴者は番組に対して視聴料を払うことなしに番組を視聴することができる。そのため、多くの視聴者が録画・再生装置に番組を録画してから視聴することにより、ＣＭ映像の部分を飛ばして視聴しなくなると、番組製作者（テレビ局）は収入が断たれることとなり、ひいては視聴者が無料でテレビ番組を見ることができなくなるという課題があった。
【０００５】
本発明は、このような課題に鑑みてなされたものであり、テレビ放送の方式等を大きく変更することなしに、ＣＭ映像等の番組情報を視聴した記録を行う録画・再生装置及び録画・再生システムを提供すること目的とする。
【課題を解決するための手段】
【０００６】
前記課題を解決するために、本発明に係る録画・再生装置は、少なくとも映像信号を含む番組信号、及び、この番組信号を識別するため情報であって番組信号に対して付加される制御信号からなる番組情報を再生する再生手段（例えば、実施形態における再生部１５）と、記録用記憶手段（例えば、実施形態における記録用ＨＤＤ１７）と、再生手段で番組情報を再生するときに、制御信号が検出される毎に、番組情報が再生された再生時刻を再生手段から取得して制御信号とともに再生情報として記録用記憶手段に記憶する視聴記録手段（例えば、実施形態における視聴記録部１６）とから構成される。
【０００７】
なお、この録画・再生装置が、録画用記憶手段（例えば、実施形態における録画用ＨＤＤ１４）と、番組情報を録画用記憶手段に記憶する録画手段（例えば、実施形態における録画部１３）とを有し、再生手段が録画用記憶手段に記憶された番組情報を再生するように構成されることが好ましい。また、番組情報が、番組信号に対して所定の間隔をおいて複数の制御信号が付加されて構成されていることが好ましい。
【０００８】
また、本発明に係る録画・再生システムは、標準時刻を提供する時刻提供サーバ（例えば、実施形態における時刻サーバ７０）と、時刻提供サーバから提供される標準時刻に基づいて再生部に設定された時刻を監視する時刻監視手段（例えば、実施形態における時刻監視部１９）を有する上述の録画・再生装置と、時刻提供サーバと録画・再生装置とが接続されて情報の送受信を行うネットワークとから構成される。
【０００９】
このとき、録画・再生システムは、ネットワークに接続され、再生時刻を認証するタイムスタンプトークンを発行する時刻認証サーバ（例えば、実施形態における時刻サーバ７０）を有し、録画・再生装置が、時刻認証サーバから再生時刻に対するタイムスタンプトークンを取得する時刻認証手段（例えば、実施形態における時刻認証部２０）を有し、視聴記録手段が、時刻認証サーバから再生時刻に対するタイムスタンプトークンを取得して、制御信号、再生時刻及びタイムスタンプトークンを再生情報として記録用記憶手段に記憶するように構成されることが好ましい。
【００１０】
また、この録画・再生システムは、録画・再生装置が、記録用記憶手段に記憶された再生情報を取り出す再生情報取得手段（例えば、実施形態における記録送信部１８）を有し、ネットワークに接続され、再生情報取得手段により記録用記憶手段に記憶された再生情報を取得して管理する管理サーバを有することが好ましい。
【発明の効果】
【００１１】
本発明に係る録画・再生装置を以上のように構成すると、番組情報に含まれる制御信号により番組情報を再生した時刻を正確に記憶することができ、この再生情報を利用することができる。また、番組情報を録画して再生するときも同様に再生時刻を取得して利用することができる。このとき、番組信号に対して複数の制御信号を付加することにより、細かく番組情報の視聴の記録を取ることができる。また、本発明に係る録画・再生システムを以上のように構成すると、再生手段に設定された時刻を外部から監視することができ、不正な手段により再生時刻が改竄されることがない。そして、録画・再生装置で記憶する再生時間の認証を取ることにより、再生時刻の信頼性が向上する。さらに、ネットワークを介して再生情報を取得可能なように構成することにより、この再生情報を番組情報の視聴に対する課金等に利用することができる。
【発明を実施するための最良の形態】
【００１２】
以下、本発明の好ましい実施形態について図面を参照して説明する。本発明に係る録画・再生システムは、放送局から送信される電波に搬送された映像信号・音声信号に制御信号を付加することにより（以下、映像信号、音声信号及び制御信号をまとめて「番組情報」と呼ぶ）、その番組情報を受信して再生する側で制御信号に応じて視聴（再生）した情報を記録し、この情報を利用するものである。なお、本実施例においては、基本的に電波によるテレビ放送（いわゆる地上波アナログ放送）を例に説明を行うが、本発明がこの実施形態に限定されることはなく、デジタル放送（地上波デジタル放送、衛星デジタル放送）やＣＡＴＶ等の有線放送、若しくは、インターネットによるストリーミング放送にも適用することができる。
【００１３】
まず、図１を用いて、番組情報３０のデータ構造について説明する。本実施例において、放送局から送信される番組情報３０は、図１（ａ）に示すようなデータ構造となっており、映像信号や音声信号からなる番組信号３１と制御信号３２とから構成される。番組信号３１は、複数の番組から構成されても良く、図１（ａ）においては、２つの番組３１ａ，３１ｂから構成されている場合を示している。また、制御信号３２は所定の間隔毎に番組信号３１に付加される情報であり、所定の間隔毎に送信される。この制御信号３２は、図１（ｂ）に示すように、少なくとも対応する番組信号３１の番組コード３２ａとその制御信号が付加される放送時刻（年月日時分秒）３２ｂから構成されている。
【００１４】
なお、この制御信号３２は、例えば、テレビ放送においては、画像（映像信号）のフレームとフレームとの間に挿入される一定の空白部分であるＶＢＩ(Vertical Blanking Interval)等を用いて送信することができ、これにより、従来のテレビ放送のための送受信装置等を用いることができる。このとき、映像信号に対応する音声信号は別の電波で送信される。また、このような映像信号及び音声信号等からなる番組信号３１をデジタル放送（有線放送やインターネット放送を含む）で送信する場合は、映像信号及び音声信号とは別に設けられたデータ信号の部分に上記制御信号３２が載せられて、それらが符号化された後、パケット単位で送信される。
【００１５】
次に、このような番組情報３０に対応する録画・再生システム１について図２を用いて説明する。この録画・再生システム１は、送信された番組情報３０を受信して再生、及び、録画する録画・再生装置１０と、録画・再生装置１０により番組情報３０が視聴された結果を管理する管理サーバ６０と、時刻認証を行う時刻サーバ７０とから構成され、これらの録画・再生装置１０、管理サーバ６０、及び、時刻サーバ７０は、インターネット等のネットワーク５０を介して接続されて互いに情報通信が可能に構成されている。
【００１６】
録画・再生装置１０は、放送局からの電波を受信するアンテナ１１、このアンテナ１１で受信した電波を復調して（デジタル放送の場合はさらにデコードして）、番組信号（映像・音声信号）３１、及び、制御信号３２にする受信部１２、受信した番組信号３１及び制御信号３２を記憶装置（例えば、録画用ハードディスク（ＨＤＤ）１４）に記憶する（録画する）録画部１３、受信部１２で受信された番組信号３１、若しくは、録画用ＨＤＤ１４に録画された番組信号３１を再生して表示装置２１に出力する再生部１５、制御信号３２に基づいて再生部１５で再生された番組信号３１の再生情報を記憶装置（例えば、記録用ＨＤＤ１７）に記憶させる視聴記録部１６、及び、記録用ＨＤＤ１７に記憶された再生情報を管理サーバ６０に渡す記録送信部１８から構成される。
【００１７】
それでは、番組信号（映像信号、音声信号）３１を再生する方法について説明する。なお、番組情報３０を受信する方法、録画用ＨＤＤ１４に録画する方法、または、録画された番組情報３０を選択する方法等は従来の録画装置と同様であるため、説明は省略する。
【００１８】
受信部１２で受信された番組情報３０、若しくは、録画用ＨＤＤ１４から読み出された番組情報３０は再生部１５に渡され、その番組信号３１は再生されて表示装置２１に出力される。このとき、再生部１５は制御信号３２を検出すると、その情報（番組コード３２ａ及び放送時刻３２ｂ）と現在の時刻（これを「再生時刻３３」と呼ぶ）を視聴記録部１６に渡し、視聴記録部１６は再生情報４０として記録用ＨＤＤ１７に記録する。上述のように、番組信号３１に対して所定の間隔で制御信号３２が付加されているため、記録用ＨＤＤ１７にも所定の間隔で再生情報４０が記録される。例えば、図３（ａ）に示すように、放送された番組情報３０をそのまま再生した場合は、放送時刻３２ｂと再生時刻３３はほぼ同じ時刻となる（録画・再生装置１０に設定された時刻等により相違する場合はある）。一方、一旦録画用ＨＤＤ１４に録画して再生した場合は、図３（ｂ）に示すように、放送時刻３２ｂと再生時刻３３は相違する。なお、番組信号３１が複数の番組から構成される場合は、番組コード３２ａが異なるため区別可能である。
【００１９】
このように記録用ＨＤＤ１７に記憶された再生情報４０は、定期的に記録送信部１８によりネットワーク５０を介して管理サーバ６０に渡される。管理サーバ６０ではこれらの再生情報４０を各視聴者（すなわち、各録画・再生装置１０）に割り当てられた識別番号等をキーにして視聴管理ファイル６１に記憶して管理する。このような再生情報４０は、例えば、番組視聴の課金処理等に用いられるが、ここでは詳細な説明は省略する。なお、管理サーバ６０から定期的に記録送信部１８を介して記録用ＨＤＤ１７に記憶されている再生情報４０を取得するように構成することも可能である。また、録画・再生装置１０の再生部１５において、番組情報３０の制御信号３２により放送時刻３２ｂに設定された時刻から所定の時間が経った場合はその番組情報３０の再生を規制する等の制御が可能である。
【００２０】
ところで、録画・再生装置１０に設定された時刻を視聴者が変更すると、上述の再生情報４０に記録される再生時間３３等を改竄することが可能となる。そのため、録画・再生装置１０に時刻監視部１９を設け、これにより再生部１５の時刻を定期的に監視するように構成することができる。この時刻監視部１９は、ネットワーク５０を介して時刻サーバ７０の時刻を用いて再生部１５に設定された時刻と差異があるか否かを確認する。ここで、時刻サーバ７０は、国家時刻標準機関等の標準時刻を提供するものである。時刻監視部１９は、再生部１５の設定時刻と標準時刻との間に差異があると判断した場合は、その結果を記録用ＨＤＤ１７に記録し、記録送信部１８により管理サーバ６０に送信するように構成するか、若しくは、時刻監視部１９が直接ネットワーク５０を介して管理サーバ６０にその結果を送信するように構成することができる。あるいは、時刻監視部１９が、時刻サーバ７０の標準時刻に基づいて、再生部１５の時刻を修正するように構成することもできる。
【００２１】
また、視聴記録部１６により再生情報４０を記憶するときに、再生時刻３３を時刻サーバ７０で認証するように構成すると、更に、再生情報４０の信頼性を向上させることができる。具体的には、録画・再生装置１０に時刻認証部２０を設けて再生情報４０の認証を行う。視聴記録部１６は再生部１５から番組コード３２ａと放送時刻３２ｂを受け取ると、これらを再生時刻３３とともに時刻認証部２０に渡す。時刻認証部２０ではこの番組コード３２ａ、放送時刻３２ｂ及び再生時刻３３からハッシュ値を生成し、このハッシュ値と番組コード３２ａ等を時刻サーバ７０に送信する。
【００２２】
ハッシュ値等を受け取った時刻サーバ７０は、このハッシュ情報から時刻を認証するためのタイムスタンプトークンを生成し、そのタイムスタンプトークンを時刻認証部２０に送信する。なお、時刻サーバ７０では、ハッシュ値とともに送信された番組コード３２ａ、放送時刻３２ｂ及び再生時刻３３（すなわち、タイムスタンプトークを生成するために用いた情報）を原本写しとしてデータベース７１に管理する。そして、このタイムスタンプトークンは時刻認証部２０から視聴記録部１６に渡され、図３（ｃ）に示すように、番組コード３２ａ等とともにタイムスタンプトークン３４が再生情報４０′として記録用ＨＤＤ１７に記憶される。このタイムスタンプトークンとは、ハッシュ値（メッセージダイジェスト）が改竄されていないことを証明するためのコードである。
【００２３】
このように再生情報４０′としてタイムスタンプトークン３４を含めることにより、管理サーバ７０はタイムスタンプトークン３４を時刻サーバ７０で検証することにより記録されている時刻が正しいことを確認することができるため、番組情報３０の録画・再生装置１０による不正再生でないことを担保することができる。なお、時刻サーバ７０には原本写しとして再生情報４０と同じ内容が管理されているため、管理サーバ６０は、視聴者の記録用ＨＤＤ１７から再生情報４０を取得できないときは、この時刻サーバ７０の原本写しから再生情報４０を取得することも可能である。
【００２４】
本実施例に係る録画・再生システム１を以上のように構成することにより、番組毎に再生された正確な時間を得ることができる。そのため、例えば、ＣＭ映像３１ａと番組映像３１ｂとを放送し、再生情報４０（４０′）からＣＭ映像３１ａを早送り等を行わずに時間通りに再生した視聴者には、続く番組映像３１ｂは無料で視聴させる（逆に、ＣＭ映像３１ａを再生せずに番組映像３１ｂだけを再生した視聴者からは視聴料を徴収する）ということが可能となる。また、再生情報４０（４０′）は録画用ＨＤＤ１４に録画された番組情報３０にも対応して記録用ＨＤＤ１７に記録されるため、番組映像３１ｂを見た後に、所定の期間内にこの録画用ＨＤＤ１４に録画されたＣＭ映像３１ａを時間通り再生すれば番組映像３１ｂの視聴料を無料にする等を行うことができる。なお、時刻サーバ７０により再生部１５の時刻を監視したり、再生情報４０（４０′）と記録される再生時刻３３のタイムスタンプトークンを得ることにより、再生時刻３３の信頼性を向上させ、録画・再生装置１０の不正操作による番組情報３０の視聴（再生）を防止することができる。
【図面の簡単な説明】
【００２５】
【図１】本発明に係る番組情報のデータ構造図であり、（ａ）は番組情報のデータ構造であり、（ｂ）は制御信号の構造である。
【図２】本発明に係る録画・再生システムを説明するためのブロック図である。
【図３】再生情報のデータ構造を示す説明図であり、（ａ）は録画せずに再生した場合の再生情報であり、（ｂ）は録画したものを再生した場合の再生情報であり、（ｃ）はタイムスタンプトークンを同時に記憶した場合の再生情報である。
【符号の説明】
【００２６】
１  録画・再生システム
１０  録画・再生装置
１３  録画部（録画手段）
１４  録画用ＨＤＤ（録画用記憶手段）
１５  再生部（再生手段）
１６  視聴記録部（視聴記録手段）
１７  記録用ＨＤＤ（記録用記憶手段）
１８  記録送信部（再生情報取得手段）
１９  時刻監視部（時刻監視手段）
２０  時刻認証部（時刻認証手段）
３０  番組情報
３１  番組信号
３２  制御信号
３３  再生時間
４０  再生情報
５０  ネットワーク
６０  管理サーバ
７０  時刻サーバ（時刻提供サーバ，時刻認証サーバ）
【図１】
2006054794.tif 000003
【図２】
2006054794.tif 000004
【図３】
2006054794.tif 000005